(57)【要約】【課題】光量を低下させることなく、色度の調整を行う光源装置を提供する。【解決手段】少なくとも２種類の波長成分の照明光を円環の半径方向内方に射出する複数のＬＥＤ１１と、ＬＥＤ１１から射出された照明光を円環の中心軸線０に沿う方向に導光する導光部材１２と、導光部材１２を中心軸線０回りに回転駆動する回転モータ１３と、導光部材１２から射出する光の波長成分比率を設定する設定部１６と、導光部材１２の入射面２０が各波長成分を射出するＬＥＤ１１に対向している時間の合計で得られる光の波長成分比率が、設定部１６により設定された波長成分比率と同じ比率になるように、回転モータ１３の回転速度を制御する回転制御部１８と、導光部材１２の入射面２０が対向する時間に応じてＬＥＤ１１の発光時間を決定し、導光部材１２の入射面２０が対向するタイミングでＬＥＤ１１をパルス発光させる光源制御部１９とを備える光源装置１を採用する。【選択図】図１
2010153110.tif 000002
【特許請求の範囲】
【請求項１】
円環状に並んで配置され、少なくとも２種類の波長成分の照明光を前記円環の半径方向内方に射出する複数の光源と、
該光源から射出された照明光を入射させる入射面を前記円環の半径方向外方に向けて配置され、入射された照明光を前記円環の中心軸線に沿う方向に導光する導光部と、
該導光部を前記中心軸線回りに回転駆動する回転部と、
前記導光部から射出する光の波長成分比率を設定する設定部と、
前記導光部の入射面が各波長成分を射出する前記光源に対向している時間の合計で得られる光の波長成分比率が、前記設定部により設定された波長成分比率と同じ比率になるように、前記回転部の回転速度を制御する回転制御部と、
前記導光部の入射面が対向する時間に応じて前記光源の発光時間を決定し、前記導光部の入射面が対向するタイミングで前記光源をパルス発光させる光源制御部とを備える光源装置。
【請求項２】
前記回転制御部は、前記導光部から射出される光を前記設定部により設定された波長成分比率とするために必要な照明光を射出する特定光源に前記導光部の入射面が近づいた際に、前記回転部の回転速度を小さくする請求項１に記載の光源装置。
【請求項３】
前記光源制御部は、前記導光部から射出される光を前記設定部により設定された波長成分比率とするために必要な照明光を射出する特定光源の発光時間を長くする請求項１または請求項２に記載の光源装置。
【請求項４】
前記導光部から射出された光の波長成分比率を検出する検出部と、
該検出部により検出された波長成分比率が前記設定部により設定された波長成分比率と一致するように前記回転部の回転速度および前記光源の発光時間を算出する演算部とを備える請求項１から請求項３のいずれかに記載の光源装置。
【請求項５】
前記演算部は、前記導光部が前記光源に対向している間における前記光源の消灯期間を最小化するように、前記回転部の回転速度および前記光源の発光時間を算出する請求項４に記載の光源装置。
【発明の詳細な説明】
【技術分野】
【０００１】
本発明は、複数の光源を備えた光源装置に関するものである。
【背景技術】
【０００２】
従来、円環状に配置したＬＥＤ等の光源を高出力で順次点灯させ、その点灯周期に合わせて導光ロッドを回転させることにより、高輝度の光を射出する光源装置が知られている（例えば、特許文献１参照）。また、面順次カラーカメラにおいて、カラーフィルタの色が切り替わる領域に差し掛かった際にモータの回転速度を上げて、色が混在する時間を短縮する技術が知られている（例えば、特許文献２参照）。
【特許文献１】特許第４０２７７４７号公報
【特許文献２】特開平８−３３１５７２号公報
【発明の開示】
【発明が解決しようとする課題】
【０００３】
しかしながら、特許文献１に開示されている技術によれば、モータの回転速度が一定であるため、導光ロッドから射出される光の色度を調節する場合には、特定色のＬＥＤの光量を基準として他の色のＬＥＤの出力を低くすることとなる。そのため、基準のＬＥＤ以外は最高出力以下で使用することとなり、全体としての光量が小さくなってしまうという不都合がある。一方、特許文献２に開示されている技術によれば、単にモータを最高速度・最低速度で切り替えるのみであるため、色度の調整ができないという不都合がある。
【０００４】
本発明は、上記事情に鑑みてなされたもので、光量を低下させることなく、射出する光の色度の調整を行うことができる光源装置を提供することを目的とする。
【課題を解決するための手段】
【０００５】
上記目的を達成するために、本発明は以下の手段を採用する。
本発明は、円環状に並んで配置され、少なくとも２種類の波長成分の照明光を前記円環の半径方向内方に射出する複数の光源と、該光源から射出された照明光を入射させる入射面を前記円環の半径方向外方に向けて配置され、入射された照明光を前記円環の中心軸線に沿う方向に導光する導光部と、該導光部を前記中心軸線回りに回転駆動する回転部と、前記導光部から射出する光の波長成分比率を設定する設定部と、前記導光部の入射面が各波長成分を射出する前記光源に対向している時間の合計で得られる光の波長成分比率が、前記設定部により設定された波長成分比率と同じ比率になるように、前記回転部の回転速度を制御する回転制御部と、前記導光部の入射面が対向する時間に応じて前記光源の発光時間を決定し、前記導光部の入射面が対向するタイミングで前記光源をパルス発光させる光源制御部とを備える光源装置を採用する。
【０００６】
本発明によれば、回転制御部により、導光部の入射面が各光源に対向する時間の合計で得られる光の波長成分比率が、設定部により設定された波長成分比率と同じ比率となるように、回転部の回転速度が制御される。これにより、波長成分毎に、導光部の入射面が光源に対向している時間を変化させ、各光源からの照明光を重畳して得られる重畳光の色度を調節することができる。また、光源制御部により、導光部の対向している時間に応じて光源の発光時間を決定することで、各光源から導光部の入射面に入射する光量の合計値を変化させ、重畳光の光量を調節することができる。上記のようにすることで、導光部から射出される重畳光の色度および光量を同時に調節することができ、重畳光を所望の色度としつつ、その光量を増加させることができる。
【０００７】
上記発明において、前記回転制御部は、前記導光部から射出される光を前記設定部により設定された波長成分比率とするために必要な照明光を射出する特定光源に前記導光部の入射面が近づいた際に、前記回転部の回転速度を小さくすることとしてもよい。
【０００８】
このようにすることで、特定光源に導光部の入射面が対向している時間を長くして、特定光源からの照明光を導光部に多く入射させることができ、重畳光の波長成分比率を設定部により設定された波長成分比率に一致させて、重畳光を所望の色度とすることができる。
【０００９】
上記発明において、前記光源制御部は、前記導光部から射出される光を前記設定部により設定された波長成分比率とするために必要な照明光を射出する特定光源の発光時間を長くすることとしてもよい。
【００１０】
このようにすることで、導光部の入射面が特定光源に対向している間に導光部の入射面に入射させる光量の合計値を増加させることができ、導光部から射出される重畳光を所望の色度とするとともに、その光量を増加させることができる。
【００１１】
上記発明において、前記導光部から射出された光の波長成分比率を検出する検出部と、該検出部により検出された波長成分比率が前記設定部により設定された波長成分比率と一致するように前記回転部の回転速度および前記光源の発光時間を算出する演算部とを備えることとしてもよい。
【００１２】
このようにすることで、演算部により、導光部から射出された光の波長成分比率と設定部により設定された波長成分比率とが一致するように、回転部の回転速度および光源の発光時間が算出され、回転制御部および光源制御部により回転部および光源を制御することができる。これにより、導光部から射出される重畳光の色度および光量の調節操作を容易なものとしつつ、その調節精度を向上することができる。
【００１３】
上記発明において、前記演算部は、前記導光部が前記光源に対向している間における前記光源の消灯期間を最小化するように、前記回転部の回転速度および前記光源の発光時間を算出することとしてもよい。
このようにすることで、重畳光を所望の色度としつつ、その光量を最大化することができる。
【発明の効果】
【００１４】
本発明によれば、光量を低下させることなく、射出する光の色度の調整を行うことができるという効果を奏する。
【発明を実施するための最良の形態】
【００１５】
〔第１の実施形態〕
以下、本発明の第１の実施形態に係る光源装置について図面を参照して説明する。
図１は、本実施形態に係る光源装置の構成を説明する模式図である。
図１に示すように、本実施形態に係る光源装置１は、円環状に並んで配置された複数のＬＥＤ（光源）１１と、前記円環の半径方向内方に配置された導光部材（導光部）１２と、導光部材１２を前記円環の中心軸線０回りに回転駆動する回転モータ（回転部）１３と、回転モータ１３の回転角度を検出する回転センサ１４と、導光部材１２の射出光軸上に配置された色度センサ（検出部）１５と、射出光の色度を設定する設定部１６と、回転モータ１３の回転速度およびＬＥＤ１１の発光時間を算出する演算部１７と、回転モータ１３を制御する回転制御部１８と、ＬＥＤ１１を制御する光源制御部１９とを備えている。
【００１６】
図２に示すように、ＬＥＤ１１は、円環の中心に光軸を向けて並んで配置されており、３種類の波長成分の照明光を円環の半径方向内方に射出するようになっている。本実施形態において、ＬＥＤ１１は、緑色の照明光を射出する緑色ＬＥＤ（符号Ｌ１〜Ｌ６）と、青色の照明光を射出する青色ＬＥＤ（符号Ｌ７〜Ｌ９）と、赤色の照明光を射出する赤色ＬＥＤ（符号Ｌ１０〜Ｌ１２）とから構成されているものとして説明する。
【００１７】
導光部材１２は、ＬＥＤ１１から射出された照明光を入射させる入射面２０を有し、入射面２０を円環の半径方向外方に向けて配置されている。図１に示すように、導光部材１２は、入射面２０に入射された照明光を円環の半径方向内方に導光する導光ロッド２１と、導光ロッド２１により導光された照明光を円環の中心軸線０に沿う方向に反射するプリズム２２とを有している。また、円環の中心軸線０に沿う方向にはレンズ２３が設けられており、プリズム２２により反射された照明光を射出するようになっている。
【００１８】
回転モータ１３は、その回転軸と円環の中心軸線０とが一致するように配置されており、導光ロッド２１およびプリズム２２を一体的に中心軸線０回りに回転駆動するようになっている。
【００１９】
回転センサ１４は、例えば反射型フォトセンサ（フォトリフレクタ）で構成され、回転モータ１３の回転角度、すなわち、導光部材１２の回転角度を検出するようになっている。
色度センサ１５は、例えばＣＣＤ等の光エネルギーを電力に変換する光電変換素子であり、導光部材１２から射出された光の色度、すなわち、波長成分比率を検出するようになっている。
【００２０】
設定部１６は、ユーザが所望する光の色度を選択することにより、導光部材１２から射出する光の波長成分比率が設定されるようになっている。また、設定部１６は、ユーザが光源装置１の用途を選択することにより、導光部材１２から射出される光の波長成分比率が自動的に設定されることとしてもよい。
【００２１】
演算部１７は、色度センサ１５により検出された波長成分比率が設定部１６により設定された波長成分比率と一致するように、回転モータ１３の回転速度およびＬＥＤ１１の発光時間を算出するようになっている。
【００２２】
すなわち、演算部１７は、導光部材１２の入射面２０が各波長成分を射出するＬＥＤ１１に対向している時間の合計で得られる光の波長成分比率が、設定部１６により設定された波長成分比率と同じ比率になるように、回転モータ１３の回転速度を算出する。具体的には、演算部１７は、導光部材１２から射出される光の波長成分比率を、設定部１６により設定された波長成分比率に一致させるために必要な照明光を射出するＬＥＤ１１を特定光源として特定する。ここでは、特定光源は、緑色ＬＥＤ（符号Ｌ１〜Ｌ６）であることとして説明する。そして、演算部１７は、特定光源である緑色ＬＥＤに導光部材１２の入射面２０が近づいた際に、回転モータ１３の回転速度を小さくする。
【００２３】
また、演算部１７は、ＬＥＤ１１をパルス発光させる際の発光時間、すなわち、発光倍率を算出する発光倍率算出部２７を有している。発光倍率算出部２７は、導光部材１２の入射面２０が対向する時間（回転モータ１３の回転速度に応じて変化する）に応じてＬＥＤ１１の発光時間を決定する。具体的には、回転速度を小さくした場合には、発光倍率算出部２７は、導光部材１２の入射面２０が対向している間は、特定光源である緑色ＬＥＤが継続して発光しているように緑色ＬＥＤの発光時間を長くする。
【００２４】
さらに、発光倍率算出部２７は、導光部材１２の入射面２０がＬＥＤ１１に対向している間におけるＬＥＤ１１の消灯期間を最小化するように、各ＬＥＤ１１の発光時間を算出する。具体的には、発光倍率算出部２７は、導光部材１２の入射面２０が対向している間には、青色ＬＥＤ（符号Ｌ７〜Ｌ９）および赤色ＬＥＤ（符号Ｌ１０〜Ｌ１２）が継続して発光しているように、青色ＬＥＤおよび赤色ＬＥＤの発光時間を変化させる。
【００２５】
ここで、Ｄｕｔｙと発光倍率との関係について図３を用いて説明する。
Ｄｕｔｙとは単位時間あたりの発光時間の割合のことであり、例えば１ｓｅｃあたり０．１ｓｅｃ発光している場合にはＤｕｔｙは１０％、１ｓｅｃあたり０．２ｓｅｃ発光している場合にはＤｕｔｙは２０％となる。すなわち、Ｄｕｔｙが大きいとは、発光時間の割合が大きいということである。
【００２６】
次に、発光倍率について説明する。ＬＥＤは、例えば定格電流の１０倍の電流を瞬間的に流すことによって、瞬間的に明るい光を得られることが知られている。したがって、Ｄｕｔｙが１０％の場合には定格電流の１０倍、Ｄｕｔｙが２０％の場合には定格電流の５倍の電流を瞬間的に流すことができる。発光倍率とは、このときに得られる光量が定格電流を流した場合の光量の何倍かを示したものであり、図３に示すような特性を有するＬＥＤが一般的である。
【００２７】
図３に示すように、ＬＥＤは、Ｄｕｔｙを大きくすると発光倍率が小さくなるものの、Ｄｕｔｙと発光倍率とが比例関係ではないという特性を持っている。そのため、Ｄｕｔｙが大きくなっても、光量は比例して小さくならずに微減するに留まる。したがって、本実施形態のように、特定光源の発光時間を長くする、すなわち、Ｄｕｔｙを大きくすることによって、特定光源の光量のピーク値は微減するものの、特定光源からの取り込み時間が長くなるため、トータルとして大きな光量を得ることができる。
【００２８】
回転制御部１８は、演算部１７により算出された回転速度で回転モータ１３を制御するようになっている。
光源制御部１９は、回転センサ１４により検出された導光部材１２の回転角度に基づいて、導光部材１２の入射面２０が対向するＬＥＤ１１を特定し、導光部材１２の入射面２０が対向するタイミングでＬＥＤ１１を順次パルス発光させるようになっている。また、その際、光源制御部１９は、ＬＥＤ１１の発光時間が演算部１７により算出された発光時間となるように、ＬＥＤ１１を制御する。
【００２９】
上記構成を有する光源装置１の動作について以下に説明する。
光源装置１が駆動されると、回転制御部１８は、回転モータ１３を回転駆動させる制御信号を出力する。これにより、回転モータ１３は、導光部材１２を中心軸線０回りに回転駆動する。また、回転センサ１４は、導光部材１２（回転モータ１３）の回転角度を検出する。
【００３０】
導光部材１２の回転速度が所定値以上になると、光源制御部１９によりＬＥＤ１１のパルス点灯が開始される。具体的には、光源制御部１９は、回転センサ１４により検出された導光部材１２の回転角度に基づいて、導光部材１２の入射面２０が対向するＬＥＤ１１を特定し、特定したＬＥＤ１１に対して電力を供給して照明光を射出させる。この際、ＬＥＤ１１は、定格値よりも高い電流で瞬間的にパルス点灯させることにより、高輝度の照明光を射出する。
【００３１】
これにより、ＬＥＤ１１から射出され、導光部材１２の入射面２０から入射した照明光は、プリズム２２により反射され、レンズ２３を透過して中心軸線０に沿う方向に射出される。この際、見かけ上は各ＬＥＤ１１からの光が重畳されて白色光として射出される。
【００３２】
次に、このように射出された重畳光の色度の調節方法について、図４から図１０に示すフローチャートを用いて以下に説明する。
以降では、緑色ＬＥＤ（符号Ｌ１〜Ｌ６）が配置された領域を領域Ｃ１、青色ＬＥＤ（符号Ｌ７〜Ｌ９）が配置された領域を領域Ｃ２、赤色ＬＥＤ（符号Ｌ１０〜Ｌ１２）が配置された領域を領域Ｃ３として説明する。
【００３３】
運転が開始され（Ｓ１）、設定部１６に導光部材１２からの重畳光の色度（波長成分比率）が設定されると（Ｓ２）、色度センサ１５により重畳光の色度が検出される（Ｓ３）。
設定部１６に設定された色度と色度センサ１５により検出された色度との間に色ずれが認識されると（Ｓ４）、領域Ｃ１の光量が少ないか否かが判断される（Ｓ５）。
【００３４】
領域Ｃ１の光量が少ない場合には、領域Ｃ１における導光部材１２の回転数が小さくされ（Ｓ１１）、発光倍率算出部２７により領域Ｃ１におけるＤｕｔｙが算出されて（Ｓ１２）、そのＤｕｔｙが大きくされる（Ｓ１３）。
次に、領域Ｃ２および領域Ｃ３における導光部材１２の回転数が算出され（Ｓ１４）、その回転数が大きくされる（Ｓ１５）。
【００３５】
次に、発光倍率算出部２７により領域Ｃ２および領域Ｃ３におけるＤｕｔｙが算出されて（Ｓ１６）、それらのＤｕｔｙが小さくされる（Ｓ１７）。
次に、色度センサ１５により再び重畳光の色度が検出され（Ｓ１８）、設定部１６に設定された色度と色度センサ１５により検出された色度との間に色ずれが認識されると（Ｓ１９）、領域Ｃ２の光量が少ないか否かが判断される（Ｓ２０）。
【００３６】
領域Ｃ２の光量が少ない場合には、領域Ｃ２における導光部材１２の回転数が小さくされ（Ｓ２１）、発光倍率算出部２７により領域Ｃ２におけるＤｕｔｙが算出されて（Ｓ２２）、そのＤｕｔｙが大きくされる（Ｓ２３）。
【００３７】
次に、色度センサ１５により再び重畳光の色度が検出され（Ｓ２４）、設定部１６に設定された色度と色度センサ１５により検出された色度との間に色ずれが認識されると（Ｓ２５）、領域Ｃ３の光量が少ないか否かが判断される（Ｓ２６）。
【００３８】
領域Ｃ３の光量が少ない場合には、Ｓ３に戻って重畳光の色度調節が継続される。
領域Ｃ３の光量が十分である場合には、領域Ｃ３に必要な光量が算出され（Ｓ２７）、そのＤｕｔｙが小さくされた上で（Ｓ２８）、Ｓ３に戻って重畳光の色度調節が継続される。
【００３９】
一方、Ｓ２０において、領域Ｃ２の光量が十分である場合には、領域Ｃ３の光量が少ないか否かが判断される（Ｓ３０）。
領域Ｃ３の光量が少ない場合には、領域Ｃ３における導光部材１２の回転数が小さくされ（Ｓ３１）、発光倍率算出部２７により領域Ｃ３におけるＤｕｔｙが算出されて（Ｓ３２）、そのＤｕｔｙが大きくされる（Ｓ３３）。
【００４０】
次に、色度センサ１５により再び重畳光の色度が検出され（Ｓ３４）、設定部１６に設定された色度と色度センサ１５により検出された色度との間に色ずれが認識されると（Ｓ３５）、領域Ｃ２の光量が少ないか否かが判断される（Ｓ３６）。
【００４１】
領域Ｃ２の光量が少ない場合には、Ｓ３に戻って重畳光の色度調節が継続される。
領域Ｃ２の光量が十分である場合には、領域Ｃ２に必要な光量が算出され（Ｓ３７）、そのＤｕｔｙが小さくされた上で（Ｓ３８）、Ｓ３に戻って重畳光の色度調節が継続される。
【００４２】
なお、Ｓ５において、領域Ｃ１の光量が十分である場合には、領域Ｃ２の光量が少ないか否かが判断され（Ｓ６）、領域Ｃ２の光量が少ない場合には、上述のＳ１１〜Ｓ３８と同様の処理が行われる（Ｓ４１〜Ｓ６８）。
【００４３】
また、Ｓ６において、領域Ｃ２の光量が十分である場合には、領域Ｃ３の光量が少ないか否かが判断され（Ｓ７）、領域Ｃ３の光量が少ない場合には、上述のＳ１１〜Ｓ３８と同様の処理が行われる（Ｓ７１〜Ｓ９８）。一方、Ｓ７において、領域Ｃ３の光量が十分である場合には、Ｓ３に戻って重畳光の色度調節が継続される。
【００４４】
上記動作を行う光源装置１の効果について以下に説明する。
ここで、比較例として、従来の光源装置における重畳光の色度調節方法について、図１９を用いて説明する。
図１９に示す従来の光源装置では、緑色ＬＥＤ（符号Ｌ１〜Ｌ６）からの照明光の光量に対して青色ＬＥＤ（符号Ｌ７〜Ｌ９）および赤色ＬＥＤ（符号Ｌ１０〜Ｌ１２）からの照明光の光量が大きい場合、青色ＬＥＤおよび赤色ＬＥＤの発光時間を短くすることによって、導光部材１２から射出される重畳光の色度を調整していた。そのため、導光部材１２の入射面２０が対向している間に、青色ＬＥＤおよび赤色ＬＥＤに消灯期間が発生しており、それらＬＥＤからの光量を損失していた。その結果、導光部材１２から射出される重畳光の光量の低下を招いていた。
【００４５】
これに対して、本実施形態に係る光源装置１では、図１１に示すように、緑色ＬＥＤ（符号Ｌ１〜Ｌ６）が配置された領域Ｃ１において、導光部材１２の回転速度を小さくするとともに、緑色ＬＥＤの発光時間を長くする。一方、青色ＬＥＤ（符号Ｌ７〜Ｌ９）が配置された領域Ｃ２および赤色ＬＥＤ（符号Ｌ１０〜Ｌ１２）が配置された領域Ｃ３において、導光部材１２の回転速度を大きくするとともに、青色ＬＥＤおよび赤色ＬＥＤの発光時間を短くする。これにより、各ＬＥＤから射出された照明光をより多く取り込むことができる。
【００４６】
以上説明してきたように、本実施形態に係る光源装置１によれば、回転制御部１８により、導光部材１２の入射面２０が各ＬＥＤ１１に対向する時間の合計で得られる光の波長成分比率が、設定部１６により設定された波長成分比率と同じ比率となるように、回転モータ１３の回転速度が制御される。これにより、波長成分毎に、導光部材１２の入射面２０が各ＬＥＤ１１に対向している時間を変化させ、各ＬＥＤ１１からの照明光を重畳して得られる重畳光の色度を調節することができる。また、光源制御部１７により、導光部材１２の入射面２０の対向している時間に応じて各ＬＥＤ１１の発光時間を決定することで、各ＬＥＤ１１から導光部材１２の入射面２０に入射する光量の合計値を変化させ、重畳光の光量を調節することができる。上記のようにすることで、導光部材１２から射出される重畳光の色度および光量を同時に調節することができ、重畳光を所望の色度としつつ、その光量を増加させることができる。
【００４７】
また、色度センサ１５により重畳光の色度を検出し、演算部１７により重畳光の波長成分比率と設定部１６により設定された波長成分比率とが一致するように、回転モータ１３の回転速度および各ＬＥＤ１１の発光時間を算出することで、導光部材１２から射出される重畳光の色度および光量の調節操作を容易なものとしつつ、その調節精度を向上することができる。
【００４８】
〔第２の実施形態〕
次に、本発明の第２の実施形態に係る光源装置について図面を参照して説明する。
本実施形態に係る光源装置が第１の実施形態と異なる点は、各ＬＥＤ１１の非発光期間がなるべく小さくなるように回転モータ１３の回転速度を制御する点である。以下、本実施形態の光源装置２について、第１の実施形態と共通する点については説明を省略し、異なる点について主に説明する。なお、装置構成については第１の実施形態と同様であるため、各構成要素についても同一の符号を用いる。
【００４９】
以下に、導光部材１２から射出される重畳光の色度の調節方法について、図１２および図１３に示すフローチャートを用いて説明する。
運転が開始され（Ｓ１０１）、設定部１６に導光部材１２からの重畳光の色度（波長成分比率）が設定されると（Ｓ１０２）、色度センサ１５により重畳光の色度が検出される（Ｓ１０３）。
設定部１６に設定された色度と色度センサ１５により検出された色度との間に色ずれが認識されると（Ｓ１０４）、その色度が適正であるか否かが判断される（Ｓ１０５）。
【００５０】
色度が適正である場合には、領域Ｃ１において緑色ＬＥＤ（符号Ｌ１〜Ｌ６）に非点灯期間があるか否かが判断される（Ｓ１１１）。
領域Ｃ１に非点灯期間がある場合には、回転センサ１４により導光部材１２の回転速度が検出され（Ｓ１１２）、その回転速度が最高速度以下であるか否かが判断される（Ｓ１１３）。
【００５１】
検出された回転速度が最高速度以下である場合には、Ｓ１０３に戻って重畳光の色度調節が継続される。一方、回転速度が最高速度よりも大きい場合には、領域Ｃ１における回転速度を大きくした上で（Ｓ１１４）、Ｓ１０３に戻って重畳光の色度調節が継続される。
【００５２】
なお、Ｓ１１１において、領域Ｃ１において非点灯期間がない場合には、領域Ｃ２において青色ＬＥＤ（符号Ｌ７〜Ｌ９）に非点灯期間があるか否かが判断され（Ｓ１２１）、非点灯期間がある場合には、上述のＳ１１２〜Ｓ１１４と同様の処理が行われる（Ｓ１２２〜Ｓ１２４）。
【００５３】
また、Ｓ１２１において、領域Ｃ２において非点灯期間がない場合には、領域Ｃ３において赤色ＬＥＤ（符号Ｌ１０〜Ｌ１２）に非点灯期間があるか否かが判断され（Ｓ１３１）、非点灯期間がある場合には、上述のＳ１１２〜Ｓ１１４と同様の処理が行われる（Ｓ１３２〜Ｓ１３４）。
【００５４】
一方、Ｓ１０５において、色度が適正でない場合には、領域Ｃ１の光量が大きいか否かが判断される（Ｓ１０６）。領域Ｃ１の光量が大きい場合には、領域Ｃ１におけるＤｕｔｙを小さくして（Ｓ１１０）、Ｓ１０３に戻って重畳光の色度調節が継続される。
【００５５】
また、Ｓ１０６において、領域Ｃ１の光量が大きくない場合には、領域Ｃ２の光量が大きいか否かが判断される（Ｓ１０７）。領域Ｃ２の光量が大きい場合には、領域Ｃ２におけるＤｕｔｙを小さくして（Ｓ１２０）、Ｓ１０３に戻って重畳光の色度調節が継続される。
【００５６】
また、Ｓ１０７において、領域Ｃ２の光量が大きくない場合には、領域Ｃ３の光量が大きいか否かが判断される（Ｓ１０８）。領域Ｃ３の光量が大きい場合には、領域Ｃ３におけるＤｕｔｙを小さくして（Ｓ１３０）、Ｓ１０３に戻って重畳光の色度調節が継続される。
【００５７】
以上のように、本実施形態に係る光源装置２によれば、図１４に示すタイミングチャートのように、ＬＥＤ１１の非発光期間を無くすように回転モータ１３の回転速度が大きくされる。これにより、導光部材１２から射出される重畳光を所望の色度としつつ、その光量を最大化することができるとともに、重畳光の色度調節時の制御を容易なものとすることができる。
【００５８】
〔第３の実施形態〕
次に、本発明の第３の実施形態に係る光源装置について図面を参照して説明する。
本実施形態に係る光源装置が前述の各実施形態と異なる点は、円環状に並んで複数配置されたＬＥＤ１１のうち、一部のＬＥＤのみを発光させる点である。以下、本実施形態の光源装置３について、前述の各実施形態と共通する点については説明を省略し、異なる点について主に説明する。なお、装置構成については第１の実施形態と同様であるため、各構成要素についても同一の符号を用いる。
【００５９】
図１５に示すように、本実施形態においては、円環状に並んで複数配置されたＬＥＤ１１（符号Ｌ１〜Ｌ１２）のうち、一部のＬＥＤ（符号Ｌ１〜Ｌ６）のみを点灯させる。
この場合において、本実施形態の光源装置３によれば、図１６に示すように、前述の第１の実施形態と同様に、点灯させるＬＥＤ（符号Ｌ１〜Ｌ６）に対向する間の回転モータ１３の回転速度を小さくするとともに、点灯させるＬＥＤ（符号Ｌ１〜Ｌ６）の発光時間を長くする。これにより、図１８に示す従来の光源装置と比較して、導光部材１２から射出される重畳光の光量を増加させることができる。
【００６０】
また、図１７に示すように、前述の第２の実施形態と同様に、点灯させないＬＥＤ（符号Ｌ７〜Ｌ１２）に対向する間の回転モータ１３の回転速度を大きくすることとしてもよい。これにより、図１８に示す従来の光源装置と比較して、導光部材１２から射出される重畳光の光量を増加させることができる。
【００６１】
以上、本発明の各実施形態について図面を参照して詳述してきたが、具体的な構成はこの実施形態に限られるものではなく、本発明の要旨を逸脱しない範囲の設計変更等も含まれる。
例えば、第１の実施形態において、演算部１７により回転モータ１３の回転速度およびＬＥＤ１１の発光時間を算出することとして説明したが、これに代えて、重畳光の色度と回転モータ１３の回転速度およびＬＥＤ１１の発光時間とを対応付けて予め記憶しておくこととしてもよい。これにより、ユーザが所望する重畳光の色度に応じて、回転モータ１３の回転速度およびＬＥＤ１１の発光時間を決定することができる。
【００６２】
また、第１の実施形態および第２の実施形態において、緑色ＬＥＤ、青色ＬＥＤ、および赤色ＬＥＤからの照明光を重畳させて白色光を射出する例を説明したが、光源装置の用途に応じて各ＬＥＤからの照明光の比率を変化させることとしてもよい。例えば、本発明の光源装置を内視鏡システムに適用する場合には、緑色ＬＥＤや青色ＬＥＤからの照明光の比率を増加させて特殊光観察を行うこととしてもよい。
【００６３】
また、導光部材１２の入射面２０がＬＥＤ１１に対向している期間中は消灯期間を最小化するように各ＬＥＤ１１の発光時間を制御することとして説明したが、必ずしも最小化する必要はなく、上記期間中に導光部材１２に入射する照明光の合計の光量が増加すればよい。
【図面の簡単な説明】
【００６４】
【図１】本発明の各実施形態に係る光源装置の概略構成図である。
【図２】図１の光源装置のＬＥＤの配置を説明する図である。
【図３】ＬＥＤの発光倍率とＤｕｔｙとの関係を説明する図である。
【図４】図１の光源装置の動作を示すフローチャートである。
【図５】図１の光源装置の動作を示すフローチャートである。
【図６】図１の光源装置の動作を示すフローチャートである。
【図７】図１の光源装置の動作を示すフローチャートである。
【図８】図１の光源装置の動作を示すフローチャートである。
【図９】図１の光源装置の動作を示すフローチャートである。
【図１０】図１の光源装置の動作を示すフローチャートである。
【図１１】図１の光源装置のタイミングチャートである。
【図１２】第２の実施形態に係る光源装置の動作を示すフローチャートである。
【図１３】第２の実施形態に係る光源装置の動作を示すフローチャートである。
【図１４】図１２および図１３の光源装置のタイミングチャートである。
【図１５】第３の実施形態に係る光源装置のＬＥＤの配置を説明する図である。
【図１６】図１５の光源装置のタイミングチャートである。
【図１７】図１５の光源装置のタイミングチャートである。
【図１８】従来の光源装置のタイミングチャートである。
【図１９】従来の光源装置のタイミングチャートである。
【符号の説明】
【００６５】
１，２，３  光源装置
１１  ＬＥＤ（光源）
１２  導光部材（導光部）
１３  回転モータ（回転部）
１４  回転センサ
１５  色度センサ（検出部）
１６  設定部
１７  演算部
１８  回転制御部
１９  光源制御部
２０  入射面
２１  導光ロッド
２２  プリズム
２３  レンズ
２７  発光倍率算出部
０  中心軸線
Ｌ１〜Ｌ６  緑色ＬＥＤ
Ｌ７〜Ｌ９  青色ＬＥＤ
Ｌ１０〜Ｌ１２  赤色ＬＥＤ
【図１】
2010153110.tif 000003
【図２】
2010153110.tif 000004
【図３】
2010153110.tif 000005
【図４】
2010153110.tif 000006
【図５】
2010153110.tif 000007
【図６】
2010153110.tif 000008
【図７】
2010153110.tif 000009
【図８】
2010153110.tif 000010
【図９】
2010153110.tif 000011
【図１０】
2010153110.tif 000012
【図１１】
2010153110.tif 000013
【図１２】
2010153110.tif 000014
【図１３】
2010153110.tif 000015
【図１４】
2010153110.tif 000016
【図１５】
2010153110.tif 000017
【図１６】
2010153110.tif 000018
【図１７】
2010153110.tif 000019
【図１８】
2010153110.tif 000020
【図１９】
2010153110.tif 000021